(57)【要約】      （修正有）【課題】粘着テープの先端引き出し部分に自動的に摘み部（折曲部）を形成する際に必ず粘着面が向かい合う方向すなわち山折りに折り曲げる。【解決手段】固定支持腕（４）と可動支持腕（５）の間にプッシュピン（１）を菱形パンタグラフ（１０）を介して常に中央に保持し、粘着テープ（Ｂ）が折り返される際にプッシュピン（１）を一旦、上に押し出して粘着テープ（Ｂ）を押し上げた後、下方に退避させる事により確実に山折りになる事を可能とした。【選択図】図１
2012148825.tif 000002
【特許請求の範囲】
【請求項１】
巻き芯を有する粘着テープをテープホルダーを介して回動自在に支持し所望の長さを引き出し切断刃で切断する粘着テープカッターであり、粘着テープを引き出す事によって可動支持腕が開くように形成され、粘着テープを切断する事により可動支持腕が閉じながら粘着テープの接着面どうしを向かい合わせて接着して、粘着テープ端に摘み部が出来るように構成された処の摘み部作成機能付き粘着テープカッターにおいて、固定支持腕（４）と可動支持腕（５）の間に、プッシュピン（１）を組み合わせたピストンピン（２）とスリーブ（３）を一対の頂点に有した処の菱形パンタグラフ（１０）を設け、前記菱形パンタグラフ（１０）のもう一対の頂点のそれぞれを固定支持腕（４）と可動支持腕（５）に取り付け、次に可動支持腕（５）に歯車部（６）を組み合わせ、前記歯車部（６）に噛合うピニオンギア（７）を有するクランク（８）を形成し、前記ピストンピン（２）に連接棒（９）で連結したクランク機構を形成した事を特徴とした粘着テープの端末処理方法。
【請求項２】
テープホルダー（Ｃ）、駆動ギア（１１）、ラック（１２）、ラックに取り付けた案内ピン（１３）、ラック引き戻しバネ（１４）、ラック保持側板（１５）、直線案内溝（１６）、四辺形案内溝（１７）、ラック上下動用の磁石（１８）またはバネ（１８´）、ストッパー（１９）、ストッパー開放ロッド（２０）の要素からなるクラッチ機構であり、ラック（１２）が一端は直線案内溝（１６）に従い、他端は四辺形案内溝（１７）に従う直線運動を行う事により、ラック（１２）が一定距離だけ直線運動を行った後駆動ギア（１１）から離れる事によるクラッチ機構を組み合わせた事を特徴とした特許請求項１の粘着テープの端末処理方法。
【請求項３】
テープホルダー（Ｃ）の巻き芯（Ａ）が嵌合される外周面にラチェット用歯車状の滑り防止爪（２２）を構成した事を特徴とした特許請求項１及び２の粘着テープの端末処理方法。
【発明の詳細な説明】
【技術分野】
【０００１】
本発明は、粘着テープを剥離しやすくする為に指先で摘む事のできる折り返し部を自動的につくる粘着テープ端末処理装置付き粘着テープカッターに関するものである。
【背景技術】
【０００２】
粘着テープを使用した際に摘み部があると剥がす時に便利であり、その摘み部を作成する装置や方法は多くの出願及び公知の技術として存在するが、現実に製品化されたものは見当たらなかった。
【０００３】
公知の技術で代表的なものは固定支持腕と可動支持腕を開いた状態で、その間に粘着テープを仮止め接着し、次に閉じる事により２点間の粘着テープを向かい合わせに折り曲げて接着させ摘み部を完成させると言うものである。しかしこれらは実際には粘着テープが折り返された時に、谷折りになるか山折りになるかを制御する対策が無かったり、発明では可能と主張されていても現実的にはそのように動作しない場合が多い発明であったり、また目的どおりに出来る事は可能だが操作方法が非常に面倒だったりと何らかの不便さ不完全さを伴うものであって製品化されたものが見当たらない事の原因であった。
【０００４】
関連した発明は以下のようなものがある。
【特許文献１】特許第２９５８３３１号
【特許文献２】特開２００７−２２８０２
【特許文献３】特開２００６−０８４０６
【特許文献４】特開２００４−２８４６８７
【発明の開示】
【発明が解決しようとする課題】
【０００５】
本発明は、粘着テープの一端を粘着面を向かい合わせて折り返し接着して非接着部を形成出来る粘着テープカッター装置を得る事にあり、一般的なテープカッターの利用時と同じ手順で簡単に使用できるとともに、確実に非接着部分を形成する事を目的とする。
【課題を解決するための手段】
【０００６】
固定支持腕（４）と可動支持腕（５）の間にプッシュピン（１）を菱形パンタグラフ（１０）を介して常に中央に保持し、粘着テープ（Ｂ）が折り返される際にプッシュピン（１）を一旦、上に押し出して粘着テープ（Ｂ）を押し上げた後、下方に退避させる事により確実に山折りになる事を可能とした。
【発明の効果】
【０００７】
本発明により粘着テープを切断した端に折り返し部による非接着面の摘み部を自動的に確実に形成する事が可能になったものであり、粘着テープを剥がす際の操作が簡単に出来るようになった。
【実施例】
【０００８】
請求項１について説明する。
この発明は粘着テープが折り畳まれる際に谷折りになる事を防止する方法であり、プッシュピン（１）により粘着テープ（Ｂ）を上方に押し上げる事を特徴とする。
【０００９】
すなわち、巻き芯を有する粘着テープをテープホルダーを介して回動自在に支持し所望の長さを引き出し切断刃で切断する粘着テープカッターであり、粘着テープを引き出す事によって可動支持腕が開くように形成され、粘着テープを切断する事により可動支持腕が閉じながら粘着テープの接着面どうしを向かい合わせて接合して、粘着テープ端に摘み部が出来るように構成された処の摘み部作成機能付き粘着テープカッターにおいて、
【００１０】
固定支持腕（４）と可動支持腕（５）の間に、プッシュピン（１）を組み合わせたピストンピン（２）と、ピストンピン（２）を保持し摺動させる処のスリーブ（３）を一対の頂点に有した処の菱形パンタグラフ（１０）を設け、菱形パンタグラフ（１０）のもう一対の頂点のそれぞれを固定支持腕（４）と可動支持腕（５）に取り付け、
【００１１】
次に可動支持腕（５）の下方に歯車部（６）をその回転中心が可動支持腕（５）の回転中心と同じにして組み合わせる。さらに前記歯車部（６）に噛合うピニオンギア（７）を有するクランク（８）を形成し、前記ピストンピン（２）に連接棒（９）で連結したクランク機構を形成した事を特徴とした粘着テープの摘み部作成時の端末処理方法である。
【００１２】
この動作を詳しく説明する。粘着テープ（Ｂ）を引き出すことによって、テープホルダー（Ｃ）が回転し、連動した駆動歯車（１１）、ラック（１２）を介して伝達された力により可動支持腕（５）を一定位置まで開き、停止位置にロックされる。
【００１３】
次に粘着テープ（Ｂ）を所望する長さだけ引きだした後、粘着テープ（Ｂ）を切断する為に粘着テープ（Ｂ）を下方に引き下げる。このとき粘着テープ（Ｂ）は、固定支持腕（４）の保持帯（４´）に一番先に接着し、次に可動支持腕（５）の保持帯（５´）に接着し、しかる後切断刃（Ｄ）とストッパー開放ロッド（２０）に接触する。さらに下げる事で粘着テープ（Ｂ）の切断が開始し同時にロックも解除される。可動支持腕（５）は固定支持腕（４）に接する元の位置まで復帰移動して、粘着面同士が貼り付き合い粘着テープ（Ｂ）の先端部に非接着面を形成する。
【００１４】
この時、すなわち可動支持腕（５）が元に戻るまでの間に、プッシュピン（１）は一旦上昇し、粘着テープ（Ｂ）を山折りになるように上に押し上げて後、下降して折り返し部の接着の邪魔にならない位置まで退避する事で本発明の目的を達成する。本発明によるテープカッターの使用法は従来の端末処理をしない普通のテープカッターの使用法と全く同じ手順動作である。
【００１５】
ストッパー開放ロッド（２０）は切断刃（Ｄ）と一体に構成する事も、独自に構成する事も可能であるが本実施例では別々に構成した例を示している。ストッパー開放ロッド（２０）に粘着テープ（Ｂ）が触れてロックが外れると同時に可動支持腕（５）はもとに戻ろうとするが、この段階ではテープは可動支持腕（５）の保持帯（５´）に接着していて粘着テープは手で押さえられており、まだ復元運動は始まらない。完全に切断され手で引いている力が無くなる事により復元が開始される。
【００１６】
請求項２について説明する。
テープホルダー（Ｃ）、駆動ギア（１１）、ラック（１２）、ラックに取り付けた案内ピン（１３）（１３´）、ラック引き戻しバネ（１４）、ラック保持側板（１５）、直線案内溝（１６）、四辺形案内溝（１７）、ラック上下動用の磁石（１８）またはバネ（１８´）、ストッパー（１９）、ストッパー開放ロッド（２０）の要素からなるクラッチ機構である。
【００１７】
ラック（１２）の一端の案内ピン（１３´）は直線案内溝（１６）に従い、他端の案内ピン（１３）が四辺形案内溝（１７）に従う運動を行う事により、ラック（１２）が一定距離だけ直線運動を行った後駆動ギア（１１）から離れるか噛合う動作を行う。四辺形案内溝（１７）の左右の辺の位置においてはラック（１２）は上下動を行い、上下の辺の位置においては水平方向の運動を行うが、上下動の動力は磁石の反発力または吸着力を利用してもバネを利用する事も可能である。
【００１８】
ラック（１２）の動作は以下のように巡回する。スタートは四辺形案内溝（１７）の右辺と上辺の角に案内ピン（１３）が位置するところで停止している。この時ラックに組み込まれた磁石と側板に然るべく組み込まれた磁石は吸着するように設けられラック（１２）は下方に落ちる事は無く駆動ギア（１１）に噛合っている。
【００１９】
粘着テープ（Ｂ）が引き出されてテープホルダー（Ｃ）が回転すると駆動ギヤ（１１）も回転しラック（１２）は図の左方に移動を開始し左辺の角まで進み、左方に構成された磁石（１８）により下方に押しつけられラック（１２）は溝の左辺に入る。次に下辺の溝に落ちたラック（１２）は駆動ギア（１１）から離れてラック引き戻しバネ（１４）の力により元の方向に戻るべく右に移動する。
【００２０】
この時駆動ギア（１１）は自由に回転し、テープは自由な長さだけ引き出すことが可能となる。ラック（１２）は案内ピン（１３）が下辺を通り元の位置に戻る行程において、ストッパー（１９）により停止し、粘着テープ（Ｂ）の切断と同時に行われるストッパー（１９）の解放を待つ。
【００２１】
ストッパー（１９）は可動支持腕（５）に設けたストッパー開放アーム（２０）と連動し、粘着テープ（Ｂ）の切断の為に下方に引き下げられる動作を受けて作動すべく構成されている。粘着テープ（Ｂ）を切断する為に下に向けて押し付けた動作を受けてストッパー（１９）が解除され、ラック（１２）はラック引き戻しバネ（１４）と磁石（１８）の力で始めの位置に戻り次の動作を待つ。
【００２２】
尚、本実施例はラック（１２）の上下動の動力源に磁石（１８）を利用した例であるが磁力の引き合う力は、引きあう方向に対して直角の方向、すなわち左右にずらす場合は非常に弱くなるため、強い磁石でラック（１２）の上下動を行わせても、ラック（１２）の次の動作である左右に移動させる場合の妨げにはならず本発明には好都合な事であった。
【００２３】
請求項３について説明する。
従来のテープホルダーを介して回動自在に支持された粘着テープを所定の長さに引き出し、これを切断刃で切断するテープカッターにおいて、テープホルダーに突起が設けられているのは見かけるが特にテープホルダーと粘着テープの巻芯の空転を防止する事を明確に意識した物は無かった。
【００２４】
従来品のテープホルダーは左右に動く事を防止する程度で十分であり、空転を防止する意味は無かったが、本発明においては基本的な動力源が粘着テープ（Ｂ）を引き出す事によって生じるテープホルダー（Ｃ）の回転力であるため、テープホルダー（Ｃ）と粘着テープ（Ｂ）の巻芯（Ａ）の空転は防止する必要があり、且つ粘着テープを装着する際には出来るだけ小さな力で簡単に出来なければならない。
【００２５】
本発明はこの目的の為に考えられたものであり、断面を鈍角にした形状の突起部を円周上に複数個設けて空転しないようにした。この形状はラチェット用歯車と同じであり、一方向には回転しない機能を待たせ目的方向での空転を防止でき、その歯先形状から装着時の抵抗を少なくする出来る。
【００２６】
単にきつく嵌合させて両方向に空転する事を防止する事は可能であるが、両方向に空転を防止する必要は無く片方にだけ有効にした分きつく嵌合させる程度を半滅し、装着時の抵抗を小さく出来たものである。
【産業上の利用可能性】
【００２７】
粘着テープを使用する目的の多くはその剥離作業をもって完了するものである。すなわち粘着テープは何らかの目的物を仮止めする為に使用されるのであるが、その場合の剥離作業は非常に大事な要素であり、その剥離作業を容易にするための摘み部が自動的に作られる様になった事は粘着テープの利便性を大いに向上させたと言える。
【図面の簡単な説明】
【００２８】
【図１】は本発明による粘着テープカッターの断面図である。
【図２】は本発明による粘着テープカッターの断面図である。
【図３】は本発明請求項１の菱形パンタグラフ部の説明図である。
【図４】は本発明請求項３によるテープホルダーの断面図である。
【符号の説明】
【００２９】
１     プッシュピン
２    ピストンピン
３    スリーブ
４    固定支持腕
５    可動支持腕
６    歯車部
７    ピニオンギア
８    クランク
９    連接棒
１０ 菱形パンタグラフ
１１ 駆動ギア
１２ ラック
１３ 案内ピン
１３´ 案内ピン
１４ ラック引き戻しバネ
１５ ラック保持側板
１６ 直線案内溝
１７ 四辺形案内溝
１８ ラック上下動用の磁石
１８´ ラック上下動用のバネ
１９ ストッパー
２０ ストッパー開放ロッド
２１ 可動支持腕用バネ
２２ 逆転防止爪
Ａ  巻き芯
Ｂ  粘着テープ
Ｃ  テープホルダー
Ｄ  切断刃
Ｅ  台座
【図１】
2012148825.tif 000003
【図２】
2012148825.tif 000004
【図３】
2012148825.tif 000005
【図４】
2012148825.tif 000006